(57)【要約】【課題】船舶の設計に係る図面を正しく管理することのできる図面管理システムを提供する。【解決手段】船舶の設計に係る図面の図面データを取得する図面取得部と、前記船舶の識別情報と前記図面の種類とに関連付けて、承認先候補を記憶する候補記憶部と、前記船舶の識別情報と前記図面の種類との入力を受け付ける情報入力部と、前記船舶の識別情報と前記図面の種類とに関連付けられた前記承認先候補を読み出す候補読出部と、承認先に前記図面を通知する通知部と、前記承認先から前記図面に係る異議の有無の入力を受け付ける異議受付部と、を備える図面管理システム。【選択図】図１
2019020886.tif 000002
【特許請求の範囲】
【請求項１】
船舶の設計に係る図面の図面データを取得する図面取得部と、
前記船舶の識別情報と前記図面の種類とに関連付けて、承認先候補を記憶する候補記憶部と、
前記船舶の識別情報と前記図面の種類との入力を受け付ける情報入力部と、
前記船舶の識別情報と前記図面の種類とに関連付けられた前記承認先候補を読み出す候補読出部と、
承認先に前記図面を通知する通知部と、
前記承認先から前記図面に係る異議の有無の入力を受け付ける異議受付部と、
を備える図面管理システム。
【請求項２】
前記承認先候補の中から必要な前記承認先を選択する選択部、
を備える請求項１に記載の図面管理システム。
【請求項３】
通知された前記承認先のそれぞれが前記図面を閲覧したか否かを判定する閲覧判定部、
を備える請求項１または請求項２に記載の図面管理システム。
【請求項４】
船舶の識別情報と前記船舶の設計に係る図面の種類とに関連付けて、承認先候補を記憶する図面管理システムの制御方法であって、
前記図面の図面データを取得することと、
前記船舶の識別情報と前記図面の種類との入力を受け付けることと、
前記船舶の識別情報と前記図面の種類とに関連付けられた前記承認先候補を読み出すことと、
承認先に前記図面を通知することと、
前記承認先から前記図面に係る異議の有無の入力を受け付けることと、
を含む図面管理システムの制御方法。
【請求項５】
船舶の識別情報と前記船舶の設計に係る図面の種類とに関連付けて、承認先候補を記憶する図面管理システムのコンピュータに、
前記図面の図面データを取得することと、
前記船舶の識別情報と前記図面の種類との入力を受け付けることと、
前記船舶の識別情報と前記図面の種類とに関連付けられた前記承認先候補を読み出すことと、
承認先に前記図面を通知することと、
前記承認先から前記図面に係る異議の有無の入力を受け付けることと、
を実行させるプログラム。
【発明の詳細な説明】
【技術分野】
【０００１】
本発明は、図面管理システム、図面管理システムの制御方法及びプログラムに関する。
【背景技術】
【０００２】
船舶の設計に係る図面は枚数や種類が多く、設計ミスを防ぐためにも図面の管理は重要である。
特許文献１には、関連する技術として、図面から部品表を迅速に生成し、図面とともに生産した部品表を生産部門などに提供する技術が記載されている。
【先行技術文献】
【特許文献】
【０００３】
【特許文献１】特開平６−１７６０８５号公報
【発明の概要】
【発明が解決しようとする課題】
【０００４】
ところで、船舶の設計に係る図面は印刷物として関連部署に送付され管理されることがある。しかしながら、船舶の設計に係る図面の枚数は多いため、特に、設計段階にあり図面の差し替えが頻繁に生じるような状況下では、最新の図面を印刷物で管理することは非常に困難である。
そのため、船舶の設計に係る図面を正しく管理することのできる技術が求められていた。
【０００５】
本発明は、上記の課題を解決することのできる図面管理システム、図面管理システムの制御方法及びプログラムを提供することを目的としている。
【課題を解決するための手段】
【０００６】
本発明の第１の態様によれば、図面管理システムは、船舶の設計に係る図面の図面データを取得する図面取得部と、前記船舶の識別情報と前記図面の種類とに関連付けて、承認先候補を記憶する候補記憶部と、前記船舶の識別情報と前記図面の種類との入力を受け付ける情報入力部と、前記船舶の識別情報と前記図面の種類とに関連付けられた前記承認先候補を読み出す候補読出部と、承認先に前記図面を通知する通知部と、前記承認先から前記図面に係る異議の有無の入力を受け付ける異議受付部と、を備える。
【０００７】
本発明の第２の態様によれば、第１の態様における図面管理システムは、前記承認先候補の中から必要な前記承認先を選択する選択部、を備えていてもよい。
【０００８】
本発明の第３の態様によれば、第１の態様または第２の態様における図面管理システムは、通知された前記承認先のそれぞれが前記図面を閲覧したか否かを判定する閲覧判定部、を備えていてもよい。
【０００９】
本発明の第４の態様によれば、図面管理システムの制御方法は、船舶の識別情報と前記船舶の設計に係る図面の種類とに関連付けて、承認先候補を記憶する図面管理システムの制御方法であって、前記図面の図面データを取得することと、前記船舶の識別情報と前記図面の種類との入力を受け付けることと、前記船舶の識別情報と前記図面の種類とに関連付けられた前記承認先候補を読み出すことと、承認先に前記図面を通知することと、前記承認先から前記図面に係る異議の有無の入力を受け付けることと、を含む。
【００１０】
本発明の第５の態様によれば、プログラムは、船舶の識別情報と前記船舶の設計に係る図面の種類とに関連付けて、承認先候補を記憶する図面管理システムのコンピュータに、前記図面の図面データを取得することと、前記船舶の識別情報と前記図面の種類との入力を受け付けることと、前記船舶の識別情報と前記図面の種類とに関連付けられた前記承認先候補を読み出すことと、承認先に前記図面を通知することと、前記承認先から前記図面に係る異議の有無の入力を受け付けることと、を実行させる。
【発明の効果】
【００１１】
本発明の実施形態による図面管理システムによれば、船舶のように設計に係る図面が多い場合であっても、船舶の設計に係る図面を正しく管理することができる。
【図面の簡単な説明】
【００１２】
【図１】本発明の一実施形態による図面管理システムの構成を示す図である。
【図２】本発明の一実施形態による第１端末装置の構成を示す図である。
【図３】本発明の一実施形態による第２端末装置の構成を示す図である。
【図４】本発明の一実施形態による第３端末装置の構成を示す図である。
【図５】本発明の一実施形態による図面管理装置の構成を示す図である。
【図６】本発明の一実施形態による図面管理システムの協議を行う場合の処理フローを示す第１の図である。
【図７】本発明の一実施形態による図面管理システムの協議を行う場合の処理フローを示す第２の図である。
【図８】本発明の一実施形態による図面管理システムの承認を行う場合の処理フローを示す第１の図である。
【図９】本発明の一実施形態による図面管理システムの承認を行う場合の処理フローを示す第２の図である。
【図１０】本発明の一実施形態による図面管理システムの配布を行う場合の処理フローを示す図である。
【図１１】本発明の一実施形態による図面管理システムの協議を行う場合の処理を説明するための図である。
【図１２】本発明の一実施形態による図面管理システムの承認を行う場合の処理を説明するための第１の図である。
【図１３】本発明の一実施形態による図面管理システムの承認を行う場合の処理を説明するための第２の図である。
【図１４】本発明の一実施形態による図面管理システムの配布を行う場合の処理を説明するための第１の図である。
【図１５】本発明の一実施形態による図面管理システムの配布を行う場合の処理を説明するための第２の図である。
【図１６】本発明の別の実施形態による図面管理システムの協議を行う場合の処理を説明するための図である。
【図１７】少なくとも１つの実施形態に係るコンピュータの構成を示す概略ブロック図である。
【発明を実施するための形態】
【００１３】
＜実施形態＞
以下、図面を参照しながら実施形態について詳しく説明する。
本発明の一実施形態による図面管理システム１の構成について説明する。
【００１４】
本発明の一実施形態による図面管理システム１は、船舶を製造するための設計図面（船舶の設計に係る図面）を承認するためのシステムである。図面管理システム１は、図１に示すように、第１端末装置１０と、第２端末装置２０と、第３端末装置３０と、図面管理装置４０と、を備える。なお、図１には、ネットワークＮＷが示されている。
【００１５】
第１端末装置１０は、設計者が使用する装置である。第１端末装置１０は、設計者の人数に応じた必要数の装置が用意される。第２端末装置２０は、設計者の設計した船舶の設計図面（以下、「船舶設計図面」と記載）の承認を行う管理者が使用する装置である。第２端末装置２０は、管理者の人数に応じた必要数の装置が用意される。第３端末装置３０は、協議を行う協議関連部署、承認を行う承認関連部署、及び、承認済みの船舶設計図面の配布先である配布関連部署のそれぞれの担当者が使用する装置である。なお、承認関連部署には、同一部署の他課が含まれる。第３端末装置３０は、担当者の人数に応じた必要数の装置が用意される。
図面管理装置４０は、船舶設計図面を管理する装置である。第１端末装置１０は、設計者が入力した船舶設計図面を図面管理装置４０に送信する。図面管理装置４０は、船舶設計図面を記憶する。船舶設計図面の協議を行う場合、図面管理装置４０は、協議関連部署の第３端末装置３０に協議対象の船舶設計図面のリンク先の情報を送信する。また、船舶設計図面の承認を行う場合、図面管理装置４０は、承認を行う管理者の第２端末装置２０及び承認関連部署の第３端末装置３０に承認対象の船舶設計図面のリンク先の情報を送信する。また、承認済みの船舶設計図面の配布を行う場合、図面管理装置４０は、配布関連部署の第３端末装置３０に承認済みの船舶設計図面のリンク先の情報を送信する、または、図面管理装置４０は、印刷業者に対して、プロットされた船舶設計図面を配布関連部署に配送する指示を送信する。プロットされた船舶設計図面が印刷業者から配布関連部署に配送される。
第１端末装置１０、第２端末装置２０、第３端末装置３０のそれぞれは、例えば、パーソナルコンピュータである。また、図面管理装置４０は、例えば、サーバである。
【００１６】
第１端末装置１０は、図２に示すように、通信部１０１と、操作部１０２と、制御部１０３と、表示部１０４と、を備える。
通信部１０１は、図面管理装置４０と通信を行う。
操作部１０２は、外部からの操作に応じて、種々の情報の入力を受け付ける。例えば、操作部１０２は、設計者による操作に応じて、船舶設計図面やコメントなどの入力を受け付ける。
制御部１０３は、表示部１０４の表示を制御する。具体的には、例えば、制御部１０３は、船舶設計図面やコメントなどを表示部１０４に表示させる。
表示部１０４は、制御部１０３による制御の下、船舶設計図面やコメントなどを表示する。
【００１７】
第２端末装置２０は、図３に示すように、通信部２０１と、操作部２０２と、制御部２０３と、表示部２０４と、を備える。
通信部２０１は、図面管理装置４０と通信を行う。
操作部２０２は、外部からの操作に応じて、種々の情報の入力を受け付ける。例えば、操作部２０２は、管理者による操作に応じて、承認情報やコメントなどの入力を受け付ける。
制御部２０３は、表示部２０４の表示を制御する。具体的には、例えば、制御部２０３は、承認情報やコメントなどを表示部２０４に表示させる。
表示部２０４は、制御部２０３による制御の下、承認情報やコメントなどを表示する。
【００１８】
第３端末装置３０は、図４に示すように、通信部３０１と、操作部３０２と、制御部３０３と、表示部３０４と、を備える。
通信部３０１は、図面管理装置４０と通信を行う。
操作部３０２は、外部からの操作に応じて、種々の情報の入力を受け付ける。例えば、操作部３０２は、関連部署の担当者による操作に応じて、承認情報やコメントなどの入力を受け付ける。
制御部３０３は、表示部３０４の表示を制御する。具体的には、例えば、制御部３０３は、承認情報やコメントなどを表示部３０４に表示させる。
表示部３０４は、制御部３０３による制御の下、承認情報やコメントなどを表示する。
【００１９】
図面管理装置４０は、図５に示すように、通信部４０１と、図面取得部４０２と、記憶部４０３（候補記憶部）と、情報入力部４０４と、読出部４０５（候補読出部）と、選択部４０６と、通知部４０７と、閲覧判定部４０８と、異議受付部４０９と、図面配布部４１０と、を備える。
【００２０】
通信部４０１は、第１端末装置１０、第２端末装置２０、第３端末装置３０のそれぞれと通信を行う。
図面取得部４０２は、第１端末装置１０から船舶設計図面の図面データを取得する。
【００２１】
記憶部４０３は、船舶の識別情報（以下、「船舶識別情報」と記載）と船舶設計図面とに関連付けて、船舶設計図面の種類、協議先候補の情報、承認先候補の情報、配布先候補の情報、設計者の氏名、設計者の所属部署、設計者の連絡先、回答期限、登録日を記憶する。協議先候補の情報は、協議候補である協議関連部署の担当者が使用する第３端末装置３０の連絡先を含む。承認先候補の情報は、承認候補である管理者が使用する第２端末装置２０の連絡先、及び、承認関連部署の担当者が使用する第３端末装置３０の連絡先を含む。配布先候補の情報は、配布候補である配布関連部署の担当者が使用する第３端末装置３０の連絡先を含む。
【００２２】
具体的には、記憶部４０３は、例えば、船舶識別情報に関連付けられた、船舶設計図面の種類、協議先候補の情報、承認先候補の情報、配布先候補の情報、設計者の氏名、設計者の所属部署、連絡先など、船舶の設計を開始する段階から終了まで変更される可能性の低い項目をマスタデータベースとして記憶する。また、記憶部４０３は、船舶設計図面、回答期限、登録日など、船舶の設計を開始する段階から終了まで変更される可能性の高い項目については、例えば船舶識別情報に関連付けられて、マスタデータベースとは別のデータベースであって、船舶識別情報を介してマスタデータベースに関連付けられたデータベースとして記憶する。
【００２３】
情報入力部４０４は、船舶識別情報と船舶の種類との入力を受け付ける。
読出部４０５は、船舶識別情報と船舶の種類とに関連付けられた承認先候補を読み出す。
選択部４０６は、承認先候補の中から必要な承認先を選択する。
通知部４０７は、承認先に船舶設計図面を通知する。
閲覧判定部４０８は、通知された承認先のそれぞれが船舶設計図面を閲覧したか否かを判定する。
異議受付部４０９は、承認先から船舶設計図面に係る異議の有無の入力を受け付ける。
図面配布部４１０は、承認後の電子データの船舶設計図面または承認後の印刷された船舶設計図面を配布関連部署に配布する。
【００２４】
次に、本発明の一実施形態による図面管理システム１の処理について説明する。
ここでは、図６〜１０に示す本発明の一実施形態による図面管理システム１の処理フローについて説明する。
なお、ここでは、船舶設計図面の協議を行う場合、船舶設計図面の承認を行う場合、承認済みの船舶設計図面の配布を行う場合の図面管理システム１の処理について説明する。
【００２５】
（協議を行う場合の処理）
まず、図６〜７に示す船舶設計図面の協議を行う場合の図面管理システム１の処理について説明する。
【００２６】
なお、船舶の設計を開始する段階で、情報入力部４０４は、通信部４０１を介して、第１端末装置１０から船舶識別情報と、船舶設計図面の種類と、協議先候補の情報と、承認先候補の情報と、配布先候補の情報と、設計者の氏名と、設計者の所属部署と、設計者の連絡先と、を含む情報を受信する。情報入力部４０４は、受信した船舶識別情報と、船舶設計図面の種類と、協議先候補の情報と、承認先候補の情報と、配布先候補の情報と、設計者の氏名と、設計者の所属部署と、設計者の連絡先と、を関連付けて記憶部４０３に書き込む。このように、情報入力部４０４は、記憶部４０３にマスタデータベースを記憶させておく。
【００２７】
設計者は、協議対象の船舶設計図面を、例えば、第１端末装置１０を用いて作成する。そして、設計者は作成した協議対象の船舶設計図面を図面管理装置４０に対して起票する操作を行う。具体的には、例えば、設計者は、協議対象の船舶設計図面と、その船舶設計図面が示す船舶の船舶識別情報と、回答期限と、登録日と、を図面管理装置４０に登録する操作を操作部１０２に対して行う。
操作部１０２は、設計者の操作に応じて、協議対象の船舶設計図面と、船舶識別情報と、回答期限と、登録日とを含む情報を通信部１０１を介して、制御信号として制御部１０３に出力する。
制御部１０３は、制御信号を受ける。制御部１０３は、受けた制御信号に応じて、協議対象の船舶設計図面と、船舶識別情報と、回答期限と、登録日とを含む情報を通信部１０１を介して、図面管理装置４０に送信する（ステップＳ１）。
【００２８】
図面取得部４０２は、通信部４０１を介して、第１端末装置１０から協議対象の船舶設計図面と、船舶識別情報と、を受信する（ステップＳ２）。図面取得部４０２は、受信した協議対象の船舶設計図面と、船舶識別情報と、を関連付けてデータベースとして記憶部４０３に書き込む（ステップＳ３）。
また、情報入力部４０４は、通信部４０１を介して、第１端末装置１０から船舶識別情報と、回答期限と、登録日とを含む情報を受信する（ステップＳ４）。情報入力部４０４は、受信した船舶識別情報と、回答期限と、登録日とを関連付けて記憶部４０３に書き込む（ステップＳ５）。このとき、船舶識別情報を介して、協議対象の船舶設計図面と、回答期限と、登録日と、マスタデータベースにおいて船舶識別情報に関連付けられている情報とが関連づけられて記憶部４０３に書き込まれている。
【００２９】
読出部４０５は、記憶部４０３のマスタデータベースにおいて船舶識別情報と関連付けられている協議先候補の情報を記憶部４０３から取得する（ステップＳ６）。
読出部４０５は、取得した協議先候補の情報に含まれる協議候補である協議関連部署の担当者が使用する第３端末装置３０の連絡先を選択部４０６に出力する。
【００３０】
選択部４０６は、読出部４０５から協議先候補の情報に含まれる協議候補である協議関連部署の担当者が使用する第３端末装置３０の連絡先を受ける。選択部４０６は、受けた協議関連部署の担当者が使用する第３端末装置３０の連絡先の中から必要な連絡先を選択する。選択部４０６は、選択した連絡先を通知部４０７に出力する。
【００３１】
通知部４０７は、選択部４０６から協議関連部署の担当者が使用する第３端末装置３０の連絡先を受ける。通知部４０７は、船舶識別情報と、協議対象の船舶設計図面にアクセスするためのリンク先アドレスと、を協議関連部署の担当者が使用する第３端末装置３０の連絡先に通知する（ステップＳ７）。
【００３２】
制御部３０３は、図面管理装置４０から通知された協議対象の船舶設計図面のリンク先アドレスを、表示部３０４に表示させる。表示部３０４は、協議対象の船舶設計図面のリンク先アドレスを表示する。
【００３３】
協議関連部署の担当者は、表示部３０４に表示されたそれらの通知を見て、リンク先アドレスにアクセスする操作を第３端末装置３０に対して行う。
操作部３０２は、担当者の操作に応じて、通信部３０１を介してリンク先アドレスにアクセスする（ステップＳ８）。このとき、第３端末装置３０は、リンク先アドレスにアクセスしたことを図面管理装置４０に通知する。図面管理装置４０は、第３端末装置３０から通知を受けると、例えば、第３端末装置３０の識別情報を読み込み、第３端末装置３０がアクセスしたことを記録する。具体的には、図面管理装置４０は、担当者が第３端末装置３０にログインする際にその担当者のユーザＩＤ（ＩＤｅｎｔｉｆｉｃａｔｉｏｎ）をＪａｖａＳｃｒｉｐｔ（登録商標）などによって取得し、第３端末装置３０からそのユーザＩＤの担当者がアクセスしたことを記録する。
制御部３０３は、リンク先アドレスの協議対象の船舶設計図面を表示部３０４に表示させる。
このとき、担当者は、必要に応じて操作部３０２に対して操作を行い、図１１に示すように、船舶設計図面にコメントや修正を記入してもよい。通常、リンク先アドレスの協議対象の船舶設計図面を開いてコメントを記入してもサーバのデータは書き替えられないが、本発明の一実施形態による図面管理装置４０のデータが書き替わるものである。
担当者は、船舶設計図面の確認が終わると、操作部３０２に対して船舶設計図面の確認を完了する操作を行う。船舶設計図面の確認を完了する操作とは、例えば、必要に応じて確認状況欄にコメントを記入し、コメントを記入した場合には船舶設計図面の「コメントあり」ボタンを押下し、コメントを記入しない場合には船舶設計図面の「コメントなし」ボタンを押下する操作である。この操作により、リンク先アドレスの協議対象の船舶設計図面にコメントが記入され、そのコメントが図面管理装置４０に記録される。
担当者が操作部３０２に対して船舶設計図面の確認を完了する操作を行うと、操作部３０２は、通信部３０１を介して、確認を完了する操作に応じた制御信号を図面管理装置４０に送信する（ステップＳ９）。
【００３４】
閲覧判定部４０８は、確認を完了する操作に応じた制御信号を第３端末装置３０から通信部４０１を介して受信する（ステップＳ１０）。閲覧判定部４０８は、受信した制御信号に基づいて、確認状況を判定する（ステップＳ１１）。例えば、閲覧判定部４０８は、制御信号を受信した場合に確認済みと判定し、制御信号を受信しない場合には未確認と判定する。担当者が通知を見る操作を行った時点でその操作を行ったことを示す制御信号を第３端末装置３０から図面管理装置４０に送信し、閲覧判定部４０８は、その制御信号を受信した場合に通知を見たと判定し、その制御信号を受信しない場合に通知を見ていないと判定する。
閲覧判定部４０８は、判定結果を記憶部４０３に書き込む（ステップＳ１２）。
【００３５】
異議受付部４０９は、第３端末装置３０から図面管理装置４０に送信される制御信号に基づいて、コメントの有無を判定する（ステップＳ１３）。具体的には、例えば、異議受付部４０９は、制御信号に「コメントあり」ボタンの押下の情報が含まれている場合に、コメントありと判定し、制御信号に「コメントなし」ボタンの押下の情報が含まれている場合にコメントなしと判定する。
異議受付部４０９は、判定結果を記憶部４０３に書き込む（ステップＳ１４）。
閲覧判定部４０８は、異議受付部４０９による記憶部４０３への判定結果の書き込みを完了すると、閲覧判定部４０８のステップＳ１１の判定結果が確認済みである場合に、確認済みであることを示す情報を第１端末装置１０に送信する（ステップＳ１５）。
【００３６】
制御部１０３は、通信部１０１を介して図面管理装置４０から確認済みであることを示す情報を受信する（ステップＳ１６）。
【００３７】
なお、設計者は、任意のタイミングで図面管理装置４０にアクセスし協議関連部署の担当者による協議の状況を表示部１０４に表示させる操作を第１端末装置１０に対して行うことができる。
操作部１０２は、設計者により操作に応じた制御信号を制御部１０３に出力する。
制御部１０３は、制御信号に応じて通信部１０１を介して図面管理装置４０にアクセスし、協議関連部署の担当者による協議の状況を取得する。制御部１０３は、取得した協議関連部署の担当者による協議の状況を表示部１０４に表示させる。表示部１０４は、協議関連部署の担当者による協議の状況を表示する。
【００３８】
このようにすれば、図面管理システム１は、協議対象の船舶設計図面を協議関連部署に送付することができ、各協議関連部署の担当者の確認の結果を設計者にフィードバックすることができる。
【００３９】
（承認を行う場合の処理）
次に、図８〜９に示す船舶設計図面の承認を行う場合の図面管理システム１の処理について説明する。
設計者は、承認対象の船舶設計図面を作成する。そして、設計者は作成した承認対象の船舶設計図面を図面管理装置４０に対して新たに起票する操作を行う。具体的には、例えば、設計者は、承認対象の船舶設計図面と、船舶識別情報と、を登録する操作を操作部１０２に対して行う。
操作部１０２は、設計者の操作に応じて、承認対象の船舶設計図面と、船舶識別情報と、を含む情報を通信部１０１を介して、制御信号として制御部１０３に出力する。
制御部１０３は、制御信号を受ける。制御部１０３は、受けた制御信号に応じて、承認対象の船舶設計図面と、船舶識別情報と、を含む情報を通信部１０１を介して、図面管理装置４０に送信する（ステップＳ２１）。
なお、記憶部４０３は、各船舶設計図面について、図１２に示すような、担当者（図１２における名前）と連絡先（図１２におけるメールアドレス）を含む情報とを関連付けた情報を、協議を行ったときに記憶している。または、記憶部４０３に担当者と連絡先を含む情報とを関連付けた情報を予め書き込むものであってもよい。設計者が図面管理装置４０に対して新たに起票する場合、制御部１０３は、記憶部４０３が記憶している担当者と連絡先とを表示部１０４に表示させる。表示部１０４は、図１２に示すような、担当者と連絡先を含む情報とを関連付けた情報を表示する。そして、操作部１０２は、表示部１０４が表示する図１２に示すような、担当者と連絡先を含む情報から担当者と連絡先とを選択する操作を受け付けることにより、設計者が操作部１０２を介して承認対象の船舶設計図面の承認先を選択できるようにしてもよい。
【００４０】
図面取得部４０２は、通信部４０１を介して、第１端末装置１０から承認対象の船舶設計図面と、船舶識別情報と、を受信する（ステップＳ２２）。図面取得部４０２は、受信した承認対象の船舶設計図面と、を船舶識別情報と関連付けて記憶部４０３に書き込む（ステップＳ２３）。
また、情報入力部４０４は、通信部４０１を介して、第１端末装置１０から船舶識別情報と、回答期限と、登録日とを含む情報を受信する（ステップＳ２４）。情報入力部４０４は、受信した船舶識別情報と、回答期限と、登録日とを含む情報を、船舶識別情報と、回答期限と、登録日とを関連付けて記憶部４０３に書き込む（ステップＳ２５）。このとき、船舶識別情報を介して、協議対象の船舶設計図面と、回答期限と、登録日と、マスタデータベースにおいて船舶識別情報に関連付けられている情報とが関連づけられて記憶部４０３に書き込まれている。
【００４１】
読出部４０５は、記憶部４０３のマスタデータベースにおいて船舶識別情報と関連付けられている承認協議先候補の情報を記憶部４０３から取得する（ステップＳ２６）。
読出部４０５は、取得した承認先候補の情報含まれる承認候補である承認協議関連部署の担当者が使用する第３端末装置３０の連絡先を選択部４０６に出力する。
【００４２】
選択部４０６は、読出部４０５から承認先候補の情報に含まれる承認候補である承認関連部署の担当者が使用する第３端末装置３０の連絡先を受ける。選択部４０６は、受けた承認関連部署の担当者が使用する第３端末装置３０の連絡先の中から必要な連絡先を選択する（ステップＳ２７）。
具体的には、例えば、複数の承認関連部署があり、承認者が階層化されて上位の承認者と下位の承認者とが含まれている場合（すなわち、所属に関わらず、上位の承認者が承認した場合に下位の承認者による承認が不要になるような場合）、選択部４０６は、上位の承認者のみを承認先として選択する、または、上位と下位の承認者の両方の承認者を承認先として選択することができる。また、例えば、複数の関連部署から承認が必要な場合、選択部４０６は、複数の承認者を承認先として選択し、全員もしくは最低限必要な部署からの承認を待ってもよい。また、例えば、１つの承認関連部署における承認者が同一の階層に複数含まれ、そのうちの一人が承認すればよい場合、選択部４０６は、複数の承認者の誰か一人を承認先として選択してもよい。
選択部４０６は、選択した連絡先を通知部４０７に出力する。
【００４３】
通知部４０７は、選択した連絡先に、船舶識別情報と、船舶設計図面にアクセスするためのリンク先アドレスとを通知する（ステップＳ２８）。
ここでは、通知部４０７は、上位の承認者である管理者と下位の承認者である担当者の両方（すなわち、第２端末装置２０及び第３端末装置３０）にリンク先情報を通知するものとする。
【００４４】
制御部３０３は、図面管理装置４０から通知された船舶識別情報と、船舶設計図面にアクセスするためのリンク先アドレスとを、表示部３０４に表示させる。表示部３０４は、船舶識別情報と、船舶設計図面にアクセスするためのリンク先アドレスを表示する。
【００４５】
承認関連部署の担当者は、表示部３０４に表示されたそれらの通知を見て、リンク先情報にアクセスする操作を第１端末装置１０に対して行う。
操作部３０２は、担当者の操作に応じて、通信部３０１を介してリンク先にアクセスする（ステップＳ２９）。
制御部３０３は、リンク先の船舶設計図面を表示部３０４に表示させる。
担当者は、船舶設計図面の確認が終わると、操作部３０２に対して船舶設計図面の承認または否認の操作を行う。船舶設計図面の承認の操作とは、例えば、第３端末装置３０に表示される「サイン完了」ボタンを押下する操作である。また、例えば、船舶設計図面の承認の操作とは、第３端末装置３０を介して電子印の捺印や電子ペンによるサインの記入などを承認対象の船舶設計図面に対して行う操作である。また、船舶設計図面の否認の操作とは、例えば、第３端末装置３０に表示される「差戻し」ボタンを押下する操作である。
担当者が承認の操作、例えば「サイン完了」ボタンを押下する操作を行った場合、操作部３０２は、その操作に応じた信号を入力する。制御部３０３は操作部３０２が入力した信号に応じて承認信号を生成する。
また、担当者が否認の操作、例えば「差戻し」ボタンを押下する操作を行った場合、操作部３０２は、その操作に応じた信号を入力する。制御部３０３は操作部３０２が入力した信号に応じて否認信号を生成する。
制御部３０３は、生成した信号が承認信号であるか否認信号であるかを判定する（ステップＳ３０）。制御部３０３は、生成した信号が承認信号である場合（ステップＳ３０において承認信号）、生成した承認信号を通信部３０１を介して図面管理装置４０に送信する（ステップＳ３１）。
【００４６】
通知部４０７は、第３端末装置３０から承認信号を受信すると（ステップＳ３２）、第２端末装置２０に船舶識別情報と、船舶設計図面にアクセスするためのリンク先アドレスとを通知する（ステップＳ３３）。
【００４７】
制御部２０３は、図面管理装置４０から通知された船舶識別情報と、船舶設計図面にアクセスするためのリンク先アドレスとを、表示部２０４に表示させる。表示部２０４は、船舶識別情報と、船舶設計図面にアクセスするためのリンク先アドレスを表示する。
【００４８】
承認関連部署の担当者は、表示部２０４に表示されたそれらの通知を見て、リンク先情報にアクセスする操作を第２端末装置２０に対して行う。
操作部２０２は、担当者の操作に応じて、通信部２０１を介してリンク先にアクセスする（ステップＳ３４）。
制御部２０３は、リンク先の船舶設計図面を表示部２０４に表示させる。
担当者は、船舶設計図面の確認が終わると、操作部２０２に対して船舶設計図面の承認または否認の操作を行う。船舶設計図面の承認の操作とは、例えば、第２端末装置２０に表示される「サイン完了」ボタンを押下する操作である。また、例えば、船舶設計図面の承認の操作とは、第２端末装置２０を介して電子印の捺印や電子ペンによるサインの記入などを承認対象の船舶設計図面に対して行う操作である。また、船舶設計図面の否認の操作とは、例えば、第２端末装置２０に表示される「差戻し」ボタンを押下する操作である。
担当者が承認の操作を行った場合、操作部２０２は、その操作に応じた信号を入力する。制御部２０３は操作部２０２が入力した信号に応じて承認信号を生成する。
また、担当者が否認の操作を行った場合、操作部２０２は、その操作に応じた信号を入力する。制御部２０３は操作部２０２が入力した信号に応じて否認信号を生成する。
制御部３０３は、生成した信号が承認信号であるか否認信号であるかを判定する（ステップＳ３５）。制御部２０３は、生成した信号が承認信号であると判定した場合、例えば「サイン完了」ボタンが押下され承認済み（図１３では「サイン済」と記載）と判定した場合（ステップＳ３５において承認信号）、生成した承認信号を通信部２０１を介して図面管理装置４０に送信する（ステップＳ３６）。
担当者は、承認対象の船舶設計図面の確認が終わると、操作部２０２に対して船舶設計図面の承認の操作を行う。
【００４９】
制御部３０３は、生成した信号が否認信号であると判定した場合、例えば「差戻し」ボタンが押下され否認されたと判定した場合（ステップＳ３０において否認信号）、生成した否認信号をコメントと共に通信部３０１を介して図面管理装置４０に送信する（ステップＳ３７）。
また、制御部２０３は、生成した信号が否認信号である場合（ステップＳ３５において否認信号）、生成した否認信号をコメントと共に通信部３０１を介して図面管理装置４０に送信する（ステップＳ３８）。
【００５０】
通知部４０７は、否認信号を受信すると、第１端末装置１０に否認信号とコメントとを通知する（ステップＳ３９）。
【００５１】
閲覧判定部４０８は、承認の操作に応じた制御信号を第２端末装置２０から通信部４０１を介して受信する（ステップＳ４０）。閲覧判定部４０８は、受信した制御信号に基づいて、承認状況を判定する（ステップＳ４１）。例えば、閲覧判定部４０８は、制御信号を受信した場合に承認済みと判定し、制御信号を受信しない場合には未承認と判定する。
閲覧判定部４０８は、判定結果を記憶部４０３に書き込む（ステップＳ４２）。
【００５２】
異議受付部４０９は、第２端末装置２０から図面管理装置４０に送信される制御信号に基づいて、コメントの有無を判定する（ステップＳ４３）。具体的には、例えば、異議受付部４０９は、制御信号に例えば「コメントあり」ボタンの押下の情報が含まれている場合に、コメントありと判定し、制御信号に「コメントなし」ボタンの押下の情報が含まれている場合に、コメントなしと判定する。
異議受付部４０９は、判定結果を記憶部４０３に書き込む（ステップＳ４４）。
通知部４０７は、異議受付部４０９による記憶部４０３への判定結果の書き込みを完了すると、閲覧判定部４０８のステップＳ３５の判定結果が承認済みである場合に、第１端末装置１０に承認済みであることを示す情報を送信する（ステップＳ４５）。
【００５３】
制御部１０３は、通信部１０１を介して図面管理装置４０から承認済みであることを示す情報を受信する（ステップＳ４６）。
設計者は、図面管理装置４０にアクセスし承認済みの結果を表示部１０４に表示させる操作を第１端末装置１０に対して行う。
操作部１０２は、設計者により操作に応じた制御信号を制御部１０３に出力する。
制御部１０３は、制御信号に応じて通信部１０１を介して図面管理装置４０にアクセスし、承認済みの結果を取得する。制御部１０３は、取得した承認済みの結果を表示部１０４に表示させる（ステップＳ４７）。表示部１０４は、承認済みの結果を表示する。
【００５４】
このようにすれば、図面管理システム１は、承認対象の船舶設計図面を承認関連部署に送付することができ、各承認関連部署の担当者の承認の結果を設計者にフィードバックすることができる。
【００５５】
なお、本発明の別の実施形態では、承認者が階層化されて上位の承認者と下位の承認者とが含まれている場合、図面管理システム１は、下位の承認者の承認を行わずに上位の承認者が承認した際に、下位の承認者の承認を不要な状態にするものであってもよい。
【００５６】
（配布を行う場合の処理）
次に、図１０に示す船舶設計図面の配布を行う場合の図面管理システム１の処理について説明する。
設計者は承認済みの船舶設計図面を図面管理装置４０に対して新たに起票する操作を行う。具体的には、例えば、設計者は、承認済みの船舶設計図面の配布先と、電子データで配布するか印刷物で配布するかを登録する操作を操作部１０２に対して行う。
操作部１０２は、設計者の操作に応じて、承認済みの船舶設計図面の電子データとその配布先を通信部１０１を介して、制御信号として制御部１０３に出力する。また、操作部１０２は、設計者の操作に応じて、承認済みの船舶設計図面の印刷物とその配布先を通信部１０１を介して、制御信号として制御部１０３に出力する。
制御部１０３は、制御信号を受ける。制御部１０３は、受けた制御信号に応じて、承認済みの船舶設計図面の電子データとその配布先を含む情報を図面管理装置４０に送信する（ステップＳ５１）。また、制御部１０３は、受けた制御信号に応じて、承認済みの船舶設計図面の電子データとその配布先とを印刷業者に送付し、承認済みの船舶設計図面を印刷物として配布先に郵送する指示を図面管理装置４０に送信する（ステップＳ５２）。
【００５７】
図面配布部４１０は、承認済みの船舶設計図面の電子データとその配布先の情報を受信する（ステップＳ５３）。図面配布部４１０は、受信した承認済みの船舶設計図面の電子データを配布先に送信する（ステップＳ５４）。
また、図面配布部４１０は、承認済みの船舶設計図面の印刷物とその配布先とを印刷業者に送付する指示を受信する（ステップＳ５５）。図面配布部４１０は、受信した指示を図示していない印刷業者の端末装置に送付する（ステップＳ５６）。
図面配布部４１０は、例えば、図１４に示すように、送付内容を記憶部４０３に書き込む（ステップＳ５７）。なお、図面管理装置４０から印刷業者の端末装置へ送信される情報は、図１５に示すように、製本時のとじ方（図１５では、左２とじ）、納期などの上記とは別の情報を含むものであってもよい。
印刷業者は、承認済みの船舶設計図面の電子データをプロッターで印刷する。印刷業者は、印刷された承認済みの船舶設計図面を配布先に郵送する。
【００５８】
このようにすれば、図面管理システム１は、承認済みの船舶設計図面を配布関連部署に送付することができる。
【００５９】
以上、本発明の一実施形態による図面管理システム１について説明した。
図面管理システム１は、図面取得部４０２と、記憶部４０３と、情報入力部４０４と、読出部４０５と、通知部４０７と、異議受付部４０９と、を備える。図面取得部４０２は、船舶の設計に係る図面の図面データを取得する。記憶部４０３は、船舶の識別情報と船舶の設計に係る図面の種類とに関連付けて、承認先候補を記憶する。情報入力部４０４は、船舶の識別情報と船舶の設計に係る図面の種類との入力を受け付ける。読出部４０５は、船舶の識別情報と船舶の設計に係る図面の種類とに関連付けられた承認先候補を読み出す。通知部４０７は、承認先に船舶の設計に係る図面を通知する。異議受付部４０９は、承認先から船舶の設計に係る図面に係る異議の有無の入力を受け付ける。
このようにすれば、船舶の設計に係る図面が変更された場合であっても、船舶の識別情報、船舶の設計に係る図面の種類などの関連付けが行われ、本発明の一実施形態による図面管理装置４０は、最新の船舶の設計に係る図面を正しく管理することができる。また、複数の人の中から承認先候補を容易に特定することができる。
【００６０】
また、図面管理システム１は、承認先候補の中から必要な承認先を選択する選択部４０６を備える。
このようにすれば、選択部４０６によりそれぞれの最新の船舶の設計に係る図面の承認先を適切に選択することができる。その結果、図面管理システム１は、承認対象の船舶の設計に係る図面を正しい承認先に送付することができる。
【００６１】
また、図面管理システム１は、通知された承認先のそれぞれが船舶の設計に係る図面を閲覧したか否かを判定する閲覧判定部４０８を備える。
このようにすれば、閲覧判定部４０８により、承認者が承認したか否かを正しく判定することができ、承認者が承認し終えたか否かを知ることができる。その結果、設計者は、自ら承認が完了したか否かを知るために、図面管理装置４０にアクセスしなくても承認の完了を知ることができる。
【００６２】
なお、設計者は、協議対象の船舶設計図面、その船舶設計図面が示す船舶の船舶識別情報、船舶設計図面の種類、協議先である協議関連部署を示す情報、回答期限以外に、例えば、登録日、設計者の氏名、設計者の所属部署、連絡先などの別の情報を登録する操作を操作部１０２に対して行う。そして、ステップＳ１〜ステップＳ７の処理において、ステップＳ１〜ステップＳ７の処理を行う各機能部が、登録日、設計者の氏名、設計者の所属部署、連絡先などの別の情報についても処理を行ってもよい。この場合、制御部３０３は、例えば、図１６に示すように、設計者（図１６では作図担当者）の氏名、設計者の所属部署、連絡先などの情報を表示部３０４に表示させる。
【００６３】
なお、設計者は、承認対象の船舶設計図面、その船舶設計図面が示す船舶の船舶識別情報、船舶設計図面の種類、承認先である承認関連部署を示す情報、回答期限以外に、例えば、登録日、設計者の氏名、設計者の所属部署、連絡先などの別の情報を登録する操作を操作部１０２に対して行う。そして、ステップＳ２１〜ステップＳ２８の処理において、ステップＳ２１〜ステップＳ２８の処理を行う各機能部が、登録日、設計者の氏名、設計者の所属部署、連絡先などの別の情報についても処理を行ってもよい。
【００６４】
なお、本発明の実施形態における処理は、適切な処理が行われる範囲において、処理の順番が入れ替わってもよい。
【００６５】
本発明の実施形態について説明したが、上述の図面管理システム１、第１端末装置１０、第２端末装置２０、第３端末装置３０、図面管理装置４０、その他の制御装置は内部に、コンピュータシステムを有していてもよい。そして、上述した処理の過程は、プログラムの形式でコンピュータ読み取り可能な記録媒体に記憶されており、このプログラムをコンピュータが読み出して実行することによって、上記処理が行われる。コンピュータの具体例を以下に示す。
図１７は、少なくとも１つの実施形態に係るコンピュータの構成を示す概略ブロック図である。
コンピュータ５は、図１７に示すように、ＣＰＵ６、メインメモリ７、ストレージ８、インターフェース９を備える。
例えば、上述の図面管理システム１、第１端末装置１０、第２端末装置２０、第３端末装置３０、図面管理装置４０、その他の制御装置のそれぞれは、コンピュータ５に実装される。そして、上述した各処理部の動作は、プログラムの形式でストレージ８に記憶されている。ＣＰＵ６は、プログラムをストレージ８から読み出してメインメモリ７に展開し、当該プログラムに従って上記処理を実行する。また、ＣＰＵ６は、プログラムに従って、上述した各記憶部に対応する記憶領域をメインメモリ７に確保する。
【００６６】
ストレージ８の例としては、ＨＤＤ（Ｈａｒｄ  Ｄｉｓｋ  Ｄｒｉｖｅ）、ＳＳＤ（Ｓｏｌｉｄ  Ｓｔａｔｅ  Ｄｒｉｖｅ）、磁気ディスク、光磁気ディスク、ＣＤ−ＲＯＭ（Ｃｏｍｐａｃｔ  Ｄｉｓｃ  Ｒｅａｄ  Ｏｎｌｙ  Ｍｅｍｏｒｙ）、ＤＶＤ−ＲＯＭ（Ｄｉｇｉｔａｌ  Ｖｅｒｓａｔｉｌｅ  Ｄｉｓｃ  Ｒｅａｄ  Ｏｎｌｙ  Ｍｅｍｏｒｙ）、半導体メモリ等が挙げられる。ストレージ８は、コンピュータ５のバスに直接接続された内部メディアであってもよいし、インターフェース９または通信回線を介してコンピュータ５に接続される外部メディアであってもよい。また、このプログラムが通信回線によってコンピュータ５に配信される場合、配信を受けたコンピュータ５が当該プログラムをメインメモリ７に展開し、上記処理を実行してもよい。少なくとも１つの実施形態において、ストレージ８は、一時的でない有形の記憶媒体である。
【００６７】
また、上記プログラムは、前述した機能の一部を実現してもよい。さらに、上記プログラムは、前述した機能をコンピュータシステムにすでに記録されているプログラムとの組み合わせで実現できるファイル、いわゆる差分ファイル（差分プログラム）であってもよい。
【００６８】
本発明のいくつかの実施形態を説明したが、これらの実施形態は、例であり、発明の範囲を限定しない。これらの実施形態は、発明の要旨を逸脱しない範囲で、種々の追加、省略、置き換え、変更を行ってよい。
【符号の説明】
【００６９】
１・・・図面管理システム
５・・・コンピュータ
６・・・ＣＰＵ
７・・・メインメモリ
８・・・ストレージ
９・・・インターフェース
１０・・・第１端末装置
２０・・・第２端末装置
３０・・・第３端末装置
４０・・・図面管理装置
１０１、２０１、３０１、４０１・・・通信部
１０２、２０２、３０２・・・操作部
１０３、２０３、３０３・・・制御部
１０４、２０４、３０４・・・表示部
４０２・・・図面取得部
４０３・・・記憶部
４０４・・・情報入力部
４０５・・・読出部
４０６・・・選択部
４０７・・・通知部
４０８・・・閲覧判定部
４０９・・・異議受付部
４１０・・・図面配布部
【図１】
2019020886.tif 000003
【図２】
2019020886.tif 000004
【図３】
2019020886.tif 000005
【図４】
2019020886.tif 000006
【図５】
2019020886.tif 000007
【図６】
2019020886.tif 000008
【図７】
2019020886.tif 000009
【図８】
2019020886.tif 000010
【図９】
2019020886.tif 000011
【図１０】
2019020886.tif 000012
【図１１】
2019020886.tif 000013
【図１２】
2019020886.tif 000014
【図１３】
2019020886.tif 000015
【図１４】
2019020886.tif 000016
【図１５】
2019020886.tif 000017
【図１６】
2019020886.tif 000018
【図１７】
2019020886.tif 000019